(57)【要約】【課題】電話回線を通信機器と共有する警報装置において、通信機器のオフフックにより通信不能にならない警報装置を提供する。【解決手段】警報装置１は、電話回線２を通信機器３との間で切り替えながら共有し、監視センタ５と各種情報を送受信する。制御部１６は、回線切替部１２に対して警報装置１と通信機器３との間で電話回線２の接続を切り替えるよう制御する。電話回線２に接続されている通信機器３がオフフック状態となって放置された場合、交換機４は特定信号を送出し、パルスセンサ１１は、送出された特定のパルス信号を検出する。パルス信号が検出されると制御部１６は、回線切替部１２に対して電話回線２の接続を通信機器３から警報装置１への接続に切り替えるよう制御し、フック切替部１４に対して警報装置１をオンフック状態にするよう制御する。【選択図】      図１
2005020584.tif 000002
【特許請求の範囲】
【請求項１】
電話回線を通信機器との間で切り替えながら共有し、前記電話回線および電話交換機を介して監視センタと各種情報を送受信する警報装置であって、
前記通信機器との間で、共有する前記電話回線の接続を切り替える切替手段と、
前記電話交換機から出力される特定信号を検知する特定信号検知手段と、
前記特定信号検知手段によって検知された前記特定信号を受信すると、前記電話回線が前記通信機器に接続されているか否かを判定し、前記電話回線が前記通信機器に接続されていると判定した場合、前記切替手段に対して前記電話回線を前記通信機器との接続から切り替えるよう制御する制御手段と、
を備えたことを特徴とする警報装置。
【請求項２】
前記電話回線との接続状態を、オンフック状態に切り替えるフック切替手段を、さらに備え、
前記制御手段は、前記切替手段に対して前記電話回線の接続を前記通信機器から切り替えるよう制御した後に、前記フック切替手段に対して前記電話回線との接続状態をオンフック状態に切り替えるよう制御することを特徴とする請求項１に記載の警報装置。
【請求項３】
警報を出力する警報手段を、さらに備え、
前記制御手段は、前記特定信号検知手段が前記特定信号を検知すると、前記警報手段に対して所定の時間だけ警報を出力させた後に、前記切替手段に対して前記電話回線を前記通信機器との接続から切り替えるよう制御することを特徴とする請求項１または２に記載の警報装置。
【請求項４】
前記電話回線の接続を前記通信機器への接続に切り替えるリセット信号を出力するリセット手段を、さらに備え、
前記制御手段は、前記リセット手段が出力した前記リセット信号を入力すると、前記切替手段に対して前記電話回線の接続を前記通信機器へと切り替えるよう制御することを特徴とする請求項１〜３のいずれか１つに記載の警報装置。
【請求項５】
前記通信機器の状態がオンフック状態であるか否かを検出するフック検出手段を、さらに備え、
前記フック検出手段は前記通信機器がオンフック状態であることを検出した場合、前記制御手段は、前記切替手段に対して前記電話回線の接続を前記通信機器へと切り替えるよう制御することを特徴とする請求項１〜４のいずれか１つに記載の警報装置。
【発明の詳細な説明】
【０００１】
【発明の属する技術分野】
この発明は電話回線と接続する警報装置に関し、特に電話回線を電話機、ファクシミリ機等の通信機器と共有し、監視センタと情報の送受信を行う警報装置に関する。
【０００２】
【従来の技術】
従来、電話回線を用いて警備領域で発生した異常を遠隔の監視センタなど監視する警備システムがあった。図５は、従来の警備システムの一例の構成を示すブロック図である。従来の警備システムは、図５に示すように、警備領域に設置される警報装置５１と、警報装置５１に電話回線２および電話交換機（以下、交換機と略す）４を介して接続される監視センタ５５とから構成される。この場合一般に警報装置の下流側に電話機やファクシミリ機などの通信機器３が接続されている。
【０００３】
警報装置５１は、各種の異常を検知する防犯センサ５１３、電話回線２を通信機器３との間で切り替える切替部５１２、および防犯センサ５１３と切替部５１２とを制御する制御部５１６を備え、防犯センサ５１３が異常を検知したとき、警報装置５１は監視センタ３に異常を示す警報信号を送信する。このような警備システムでは、電話回線２を効率的に利用するために、警報装置５１と通信機器３との間で、電話回線２を共有している場合が多い。電話機、ファクシミリなどの通信機器３と警報装置５１とで電話回線２を共有する場合、一般に、図５に示すように、警報装置１の下流に通信機器３を接続する。これは、通信機器３が電話回線２を占有して使用していても防犯センサ５１３が異常を検知した場合、警報装置５１が電話回線２を優先的に使用できるようにするためである。警報装置５１は、異常時に通信機器３による一般の通信よりも警報信号の送信を優先するために、切替部５１２に電話回線２の接続を通信機器３から警報装置５１に切り替えるよう制御部５１６が制御する。
【０００４】
ところで、電話交換機では通常、電話回線に４８Ｖ（ボルト）の電圧が印加されている。そして電話をかける際に電話機の受話器を取り上げると、電話機のフックスイッチはオフフックとなり、電話回線につながる基地局の電話交換機のラインリレーが作動して、電話回線が発信レジスタへ接続されるとともに、発信音が電話機に送出され、該電話回線の印加電圧は５Ｖに下がるようになっている。また、電話交換機は、例えば、電話機の受話器が外れたままでフックスイッチがオフフック状態で所定時間放置されると、所定時間だけ警告の信号を出力した後、電話回線の電圧を０Ｖとする。そして、電話交換機は、その後一定周期、例えば数十秒ごとに電話回線に特定の信号を送出して電話機の状態を検査し、電話機のフックスイッチがオンフック状態に復帰されていれば、再び電話回線に４８Ｖの電圧をかけるようにしている。
【０００５】
ところで、図５に示したように警報装置５１と通信機器、例えば電話機３とが電話回線２を共有している場合、電話回線２に接続された電話機３の受話器が外れたままの状態が一定時間持続すると、上に述べたように電話交換機４は電話回線の電圧を０Ｖとしてしまう。この状態で警報装置５１の各種防犯センサ５１３が異常を検知した場合、警報装置５１は、切替部５１２に対して、電話機に接続している電話回線２を警報装置５１に切り替えるよう制御する。しかし、こうして切り替えただけの状態では、電話回線２の電圧が０Ｖとなっているので、警報装置５１からは警報を送出できないという問題があった。
【０００６】
このような問題を解決するために、特許文献１の発明は、警報装置が警報送信時に電話回線に印加された電圧が０Ｖであった場合、警報装置が電話回線に対してフックスイッチのオンフックを模擬する模擬信号を送出し、電話回線の電圧を４８Ｖに復旧した後に、警報を送信する自動情報送信装置（警報装置）を提案している。
【０００７】
同発明によれば、電話回線２の電圧をが０Ｖとなった後に、一定周期ごとに交換機４から電話回線２に対して送出される特定の信号を自動情報送信装置が受信して、オンフック状態であるとの模擬信号を送出することによって、再び電話回線に４８Ｖの電圧をかけさせるようにしているため、電話回線２の電圧が０Ｖになった場合でも、一応の復旧はできる。
【０００８】
【特許文献１】
特開平５−５６１８５号公報
【０００９】
【発明が解決しようとする課題】
しかし、電話交換機４がフックスイッチの状態を周期的に検査する特定の信号を送出して、送出された特定の信号を自動情報送信装置が検出した後に、交換機に０Ｖからの通常の警報を送出できる４８Ｖに印加された状態にまで復旧させるためには、最大数十秒かかることになる。そのため、復旧して警報を送信できるまでに最大で数十秒間遅れることになってしまう。警備システムにおいて警報の連絡は常に急を要するものであるので、同発明では警報装置に接続された電話回線の復旧が遅れることに由来する警報の遅れがあるという問題があった。
【００１０】
また、同発明では、警報送信時にオンフック状態を模擬することによって電話回線の電圧を復旧する警備システムであるため、復旧するまでの電話回線が０Ｖの間は、外部から、特に監視センタから自動情報送信装置に対して信号を送れないという問題があった。近年の警備システムでは、監視センタから自動情報送信装置、即ち警報装置に接続して警備領域の各種情報を取得する必要があり、また警報装置にシステム情報を送信する必要がある。しかし、同発明では、上記の電話回線における０Ｖ状態が続く間は、監視センタ５から警報装置への送信が不可能になるという問題があった。
【００１１】
本発明は以上の問題を解決するためになされたものであって、その目的は、電話回線の復旧をより短時間に行うことにより警報通報の遅れを防止し、かつ監視センタから常時、アクセス可能な警報装置を提供する。
【００１２】
【課題を解決するための手段】
上記目的を解決するため、請求項１にかかる発明は、電話回線を通信機器との間で切り替えながら共有し、前記電話回線および電話交換機を介して監視センタと各種情報を送受信する警報装置であって、前記通信機器との間で、共有する前記電話回線の接続を切り替える切替手段と、前記電話交換機から出力される特定信号を検知する特定信号検知手段と、前記特定信号検知手段によって検知された前記特定信号を受信すると、前記電話回線が前記通信機器に接続されているか否かを判定し、前記電話回線が前記通信機器に接続されていると判定した場合、前記切替手段に対して前記電話回線を前記通信機器との接続から切り替えるよう制御する制御手段と、を備えたことを特徴とする。
【００１３】
この請求項１の発明によれば、切り替え手段が通信機器と警報装置との間で共有する電話回線の接続を切り替え、電話交換機から出力される特定信号を特定信号検知手段が検知し、制御手段が検知された特定信号を受信して、切替手段に対して電話回線を通信機器との接続から切り替えるよう制御することにより、警報装置と電話回線を共有する通信機器においてオフフックのままで放置されて電話回線の電圧が０Ｖ状態となった状態で、防犯センサが異常を検知しても、監視センタに警報を送信できない事態を防ぐとともに各種情報が送受信可能な警備能力の高い警報装置を提供できる。
【００１４】
また、請求項２にかかる発明は、請求項１に記載の警報装置において、前記電話回線との接続状態を、オンフック状態に切り替えるフック切替手段を、さらに備え、前記制御手段は、前記切替手段に対して前記電話回線の接続を前記通信機器から切り替えるよう制御した後に、前記フック切替手段に対して前記電話回線との接続状態をオンフック状態に切り替えるよう制御することを特徴とする。
【００１５】
この請求項２の発明によれば、制御手段は、切替手段に対して電話回線の接続を通信機器から切り替えた後に、フック切替手段に対して電話回線に接続する警報装置の状態をオンフック状態に切り替えるよう制御することによって、オフフックのままで放置されて電話回線の電圧が０Ｖとなった状態で防犯センサが異常を検知しても、電話回線を警報装置側に切り替えた後オンフック状態にして通信可能状態にすることができるので、監視センタに警報を送信できない事態を防ぐとともに各種情報が送受信可能な警備能力の高い警報装置を提供できる。
【００１６】
また、請求項３にかかる発明は、請求項１または２に記載の警報装置において、警報を出力する警報手段を、さらに備え、前記制御手段は、前記特定信号検知手段が前記特定信号を検知すると、前記警報手段に対して所定の時間だけ警報を出力させた後に、前記切替手段に対して前記電話回線を前記通信機器との接続から切り替えるよう制御することを特徴とする。
【００１７】
この請求項３の発明によれば、特定信号検知手段が特定信号を検知すると、制御手段は警報手段に対して所定時間だけ警報を出力させ、切替手段に対して警報が出力された所定時間の後電話回線の接続を警報装置に切り替えるよう制御することにより、電話回線の接続を通信機器から警報装置側に切り替える前に所定時間だけオフフック状態であることを外部に警告することができるので、監視センタに警報を送信できない事態を防ぐとともに各種情報が送受信可能な利便性と警備能力の高い警報装置を提供できる。
【００１８】
また、請求項４にかかる発明は、請求項１〜３のいずれか１つに記載の警報装置において、前記電話回線の接続を前記通信機器への接続に切り替えるリセット信号を出力するリセット手段を、さらに備え、前記制御手段は、前記リセット手段が出力した前記リセット信号を入力すると、前記切替手段に対して前記電話回線の接続を前記通信機器へと切り替えるよう制御することを特徴とする。
【００１９】
この請求項４の発明によれば、リセット手段がリセット信号を出力すると、制御手段は、切替手段に対して電話回線の接続を警報装置側から通信機器へと切り替えるよう制御することによって、電話回線が警報装置側に切り替えられていても、リセット手段を操作することによっていつでも電話回線を通信機器側に接続し直すことができるので、監視センタに警報を送信できない事態を防ぐとともに各種情報が送受信可能な利便性と警備能力の高い警報装置を提供できる。
【００２０】
また、請求項５にかかる発明は、請求項１〜４のいずれか１つに記載の警報装置において、前記通信機器の状態がオンフック状態であるか否かを検出するフック検出手段を、さらに備え、前記フック検出手段は前記通信機器がオンフック状態であることを検出した場合、前記制御手段は、前記切替手段に対して前記電話回線の接続を前記通信機器へと切り替えるよう制御することを特徴とする。
【００２１】
この請求項５の発明によれば、フック検出手段が通信機器の状態をオンフック状態であるか否か検出し、オンフック状態であると検出した場合、制御手段が、切替手段に電話回線の接続を警報装置から通信機器へと切り替えるよう制御することによって、通信機器の利用者は電話回線が警報装置側に接続されていたとしても、通信機器をオンフック状態にするだけで電話回線を通信機器に接続し直して利用することができるので、監視センタに警報を送信できない事態を防ぐとともに各種情報が送受信可能な利便性と警備能力の高い警報装置を提供できる。
【００２２】
【発明の実施の形態】
以下に添付図面を参照して、この発明にかかる警報装置の好適な実施の形態１および２を詳細に説明する。
【００２３】
（実施の形態１）
図１は、実施の形態１による警報装置の構成を示すブロック図である。警報装置１は電話回線２に接続する。電話回線２はまた、警報装置１を介して通信機器３と接続する。警報装置１と通信機器３とは、切り替えながら電話回線２を共有する構成となっている。
【００２４】
警報装置１は、電話回線２および電話交換機（以下、交換機と略す）４を介して監視センタ５に接続し、各種情報を送受信する。通信機器３は、一般の通信機器であり、この例では電話機３１と、ファクシミリ機３２である。監視センタ５は、例えば警備会社の管理室に備えられたコンピュータであり、電話回線２を介して接続するそれぞれの警備装置１からの各種情報を送受信し、警報装置１がそれぞれ警備する警備領域を監視する。電話回線２は、有線および無線による一般の電話回線である。
【００２５】
交換機４は、電話回線２からの信号を受け付けるとともに、各種の信号を送出する。例えば、電話回線２に接続する警報装置１および／または通信機器３において、例えば受話器を取り上げることによってオフフックとなった場合、交換機４はオフフック状態であることを検出する。そして、交換機４は、発信音（４００Ｈｚの連続音声信号）を発信側に送出する。あるいは、通常の発呼の場合、発信側が電話を掛けると掛けられた電話番号に対応する選択信号を送出する。
【００２６】
また、通信機器３においてオフフック状態が所定時間を経過すると、交換機４は、警告の信号を出力して、その後、電話回線の電圧を０Ｖとする。本願発明は、この警告の信号を警報装置１が検知して電話回線２を警報装置１側に切り替えて警報装置１が確実に監視センタ５と接続するように構成したことを特徴とする。
【００２７】
警報装置１は、パルスセンサ１１と、回線切替部１２と、防犯センサ１３と、フック切替部１４と、アラーム部１５と、制御部１６とを備える。パルスセンサ１１は、電話回線２を介して交換機４から送信される所定のパルスを検出する。ここでは、電話回線２に接続する通信機器３においてオフフック状態が所定時間経過すると、交換機４が警告信号を送信し、パルスセンサ１１は交換機４によって送信された警告信号を検知する。
【００２８】
回線切替部１２は、電話回線２の接続を、警報装置１と通信機器３との間で切り替える。回線切替部１２は、リレー接点１２１および１２２を有して、リレーがリレー接点１２１および１２２にそれぞれ切り替えて接することによって、通信機器３および警報装置１と接続を切り替える。
【００２９】
防犯センサ１３は、警備領域への賊の侵入などの各種の異常を検知する。フック切替部１４は、警報装置１が電話回線２と接続する状態をオンフック状態およびオフフック状態の間で切り替える。
【００３０】
アラーム部１５は、電話回線２が通信機器３に接続された状態においてオフフック状態となったときに、所定の時間だけ光、文字、あるいは音声などのアラームを出力する。
【００３１】
制御部１６は、警報装置１全体を制御するものである。制御部１６は、パルスセンサ１１が電話回線２において交換機４から出力された特定の警告信号を検知すると、通信機器３に接続されている電話回線２を警報装置１側（制御部１６側）に切り替えるように、回線切替部１２を制御する。ここで本発明におけるパルスセンサ１１は特定信号検知手段を構成する。
【００３２】
図２は、実施の形態１による警報装置１の動作を示すフローチャートである。本実施例では説明のため、通信機器３を電話機３１であるとする。通常の使用時においては、電話回線２は電話機３１側に接続されていて、図１に示すように、電話機３１は自由に通話可能な状態となっている。ここで、電話機３１の受話器が電話機に置かれるべき所定の位置から外れて所定時間経過すると、オフフックの状態が持続するので、交換機４は電話機３１に対して電話回線２を介して特定の警告信号を発する。特定の警告信号は、例えば特定のパルス信号である。回線切替部１２よりも交換機側、即ち上流側において接続するパルスセンサ１１は、常時、特定のパルス信号が送信された場合、検出できる状態になっている（ステップＳ１０１）。
【００３３】
ここで、電話機３１の受話器が外れるなどして所定時間経過し、交換機４が特定のパルス信号を送信した場合、パルスセンサ１１はパルス信号を検出する（ステップＳ１０１のＹｅｓ）。パルスセンサ１１によってパルス信号が検出されると、その信号は制御部１６に送信され、信号を受信した制御部１６は、アラーム部１５に対して、オフフック状態を警告するアラーム音を鳴らす（ステップＳ１０２）。アラーム音の代わりに光、あるいは文字などを出力しても良い。アラーム部１５は、アラーム音を鳴らし続けるのは、操作者がアラーム音に気づかせて、受話器をオンフック状態に戻すためである。
【００３４】
ここで、パルスセンサ１１は、通信機３に接続した電話回線２のパルスを検知して、通信機器３がオンフック状態であるかどうかを判定する（ステップＳ１０３）。そして、操作者がアラーム音に気づいて受話器を電話機３１の所定の位置に置くなどしてオフフックが解除されてオンフック状態に戻った場合（ステップＳ１０３のＹｅｓ）、電話回線２は警報装置１に切り替わらずに、電話機３１に接続されたままで、通常の使用状態となる。
【００３５】
その反対に、アラーム音が鳴ったとしても、オフフック状態が解除されない場合（ステップＳ１０３のＮｏ）、アラーム部はアラーム音を、鳴らし続けながら、制御部１６のタイマー（不図示）が所定の時間を計測する（ステップＳ１０４）。アラーム音が鳴り続けて所定時間経過すると（ステップＳ１０４のＹｅｓ）、制御部１６はアラーム音の出力を停止する（ステップＳ１０５）。そして、制御部１６は、回線切替部１２に対して、電話回線２の接続を警報装置１側に切り替えるよう制御する。即ち、制御部１６は、回線切替部１２に対して電話回線２のリレーによる接触を、通信機器３側の接点１２１から警報装置１側の接点１２２に切り替えるよう制御する。こうして、電話機３１に接続されていた電話回線２が、警報装置１側に切り替えられる（ステップＳ１０６）。
【００３６】
電話回線２の接続が警報装置１側に切り替わった後でも、そのままではオフフック状態であって、電話回線２における印加電圧は０Ｖのままであるため警報装置１と監視センタ５とは送受信できない。そこで、制御部１６は、フック切替部１４に対して、警報装置１のフック状態をオンフック状態に切り替えさせるよう制御する（ステップＳ１０７）。こうして、警報装置１は監視センタ５と送受信可能となる。
【００３７】
以上の動作によって警報装置１は、通信機器３がオフフックのままで放置されていることを、交換機４から電話回線２に送出される警告信号を検知して、電話回線２を警報装置１側に切り替え、さらにオンフック状態に切り替えることによって、電話回線２の電圧が０Ｖで通信不能となる状態を回避できる。こうして、通信機器３側でオフフック状態となったまま放置されて電話回線の電圧が０Ｖとなった状態で、防犯センサ１３が異常を検知した場合でも、警報を監視センタ５に送れないという事態、および監視センタ５から警報装置１に情報を送信できないという事態を回避できる。
【００３８】
また、所定の音声、文字情報、光を出力するアラーム部１５を設けてアラームを出力するので、警報装置１が電話回線２の接続を通信機器３側から警報装置１側に切り替える前に、電話の受話器のかけ忘れ（オフフック状態）を外部にアラームによって警告して操作者にオフフック状態になったことを知らせるので、より通信不能の状態からの復旧を早めることができる。
【００３９】
なお、アラーム部１５は電話回線２の接続を警報装置１側に切り換える際にアラーム出力を停止するようにしたが、切り換えた後も継続してアラーム音を出力し続けるようにしてもよい。また、電話回線２の接続を警報装置１側に切り換える前はアラーム音を鳴らし、切り替えた後は光や文字を出力するようにしてもよい。以上の構成によれば、電話回線２が通信機器３から警報装置１側に切り換わったことを操作者が認識できるようになる。
【００４０】
（実施の形態２）
図３は、実施の形態２による警報装置の構成を示すブロック図である。実施の形態２による警報装置が、実施の形態１と異なる点は、リセット部１７およびフック検出部１８を備えた点である。
【００４１】
リセット部１７は、警報装置１に接続した状態の電話回線２を通信機器３側に切り替えるためのリセット信号を出力する。制御部１６は、リセット信号を入力すると、回線切替部１２を制御して、電話回線２の接続を警報装置１側の接点１２２と接触しているリレーを、通信機器３側の接点１２１に接触するように切り替える。これは、電話回線２が通常の通信機器３に接続している状態に戻るリセット動作である。
【００４２】
この構成によって、電話回線２が警報装置１に接続されていても、操作者がリセット部１７を操作することによって、任意のタイミングでリセット動作を行い、接続を通信機器３に戻すことができる。それ故、操作者が電話機３１のオフフック状態に気づいて受話器を電話機３１の所定の位置に置くことによってオンフック状態に戻すことによって、いつでも電話回線２を通信機器３に切り替えて接続させて利用することができる。リセット部１７は、警報装置１の制御部１６に接続し、リセットボタンを押下することによって電気的信号を制御部１６に送信するものとして構成できる。
【００４３】
フック検出部１８は、回線切替部１２よりも下流にある接続点１８１を介して通信機器３と常時接続し、通信機器３のフック状態がオンフック状態であるかオフフック状態であるかを検出する。そして、電話回線２が警報装置１側に接続している状態において、受話器が電話機３１の所定の位置に置かれることによって通信機器がオンフック状態に復帰したことを検知すると、制御部１６に対してオンフック状態を示す信号を送信する。フック検出部１８からオンフック状態を示す信号を受信した制御部１６は、回線切替部１２に対して電話回線２の接続を警報装置１側から通信機器３側に切り替えるよう制御する。
【００４４】
この構成により、電話回線２が受話器の置き忘れによって警報装置１側に切り替わっていたとしても、通信機器３の利用者は、例えば受話器を電話機の所定の位置に置くなどして通信機器３をオンフック状態に復旧するだけで、フック検出部１８はオンフック状態を検出して電話回線２を通信機器３側に切り替わるので、例えば受話器を電話機の所定の位置に置くだけで、自動的に電話回線２を通信機器３側に切り替えることができる。これにより、簡便な操作で、オフフック状態が原因で警報装置１側に切り替わった電話回線２を、元通りに通信機器３に切り替えて接続することによって、通信機器３を無駄な時間を少なくして使用することができる。
【００４５】
図４は、実施の形態２による警報装置の動作を示すフローチャートである。通信機器３がオフフック状態になって、電話回線２が警報装置１側に切り替えられてオンフック状態となったステップ（ステップＳ１０７）までは、実施の形態１による警報装置と同じであるので説明を省略し、それ以降について説明する。
【００４６】
操作者によって警報装置のリセット部１７のリセット釦（不図示）が押下されると、リセット部１７は、リセット信号を制御部１６に送信する。制御部１６は、送信されるリセット信号を常時検出可能な状態にある（ステップＳ２０８）。制御部１６がリセット信号を検出すると（ステップＳ２０８のＹｅｓ）、制御部１６は、回線切替部１２に対して、警報装置１側に接続されている電話回線２を切り替えて、通信機器３側に接続させるように制御する（ステップＳ２０９）。
【００４７】
一方、制御部１６がリセット信号を検出しない場合（ステップＳ２０８のＮｏ）、制御部１６は、フック検出部１８に対して電話機３１のオンフック状態を検出させる動作に入るよう制御する（ステップＳ２１０）。例えば、操作者が受話器を電話機３１の所定の位置に置いた場合、通信機器３のオフフック状態が解除されてオンフック状態となる。電話機３１がオンフック状態になった場合、フック検出部１８は、接続点１８１を介して電話機３１のオンフック状態を検出する（ステップＳ２１０のＹｅｓ）。すると、制御部１６は、フック検出部１８から送信されたフック状態の検出信号を受信し、回線切替部１２に対して、警報装置１に接続されていた電話回線２の接続を、通信機器３側に切り替えるよう制御する（ステップＳ２０９）。一方、フック検出部１８がオンフック状態を検出しない場合（ステップＳ２１０のＮｏ）、通信機器３においてオフフックの状態が持続しているので、制御部１６は、回線切替部１２に対して電話回線２の接続を警報装置１から電話機３１に切り替えずに、電話回線２は警報装置１に継続して接続されている。
【００４８】
こうして、操作者がリセット部１７を操作してリセットをかけた場合、あるいは、電話機の受話器を所定の電話機の位置に置いてオンフック状態に復旧した場合は、電話回線２は自動的に通信機器３側に切り替えて接続され、通信機器３の操作者は通信機器３を通常通りに使用することができる。
【００４９】
なお、アラーム部１５は電話回線２の接続を警報装置１側に切り換える際にアラーム出力を停止するようにしたが、切り換えた後も継続してアラーム音を出力し続けるようにしてもよい。また、電話回線２の接続を警報装置１側に切り換える前はアラーム音を鳴らし、切り替えた後は光や文字を出力するようにしてもよい。以上の構成によれば、電話回線２が通信機器３から警報装置１側に切り換わったことを操作者が認識できるようになる。
【００５０】
また、通信機器３において通常のオンフック状態で警報装置１の防犯センサ１３が異常を検知した場合は、通常の警報装置の動作として、制御部１６は、回線切替部１２に対して電話回線２の接続を警報装置１側に切り替えて、監視センタ５に情報を送信するよう制御する。
【００５１】
また、本実施の形態において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【００５２】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。さらに、各装置において行われる各処理機能は、その全部または任意の一部が、ＣＰＵおよび当該ＣＰＵで実行されるプログラムによって実現され、あるいは、ワイヤードロジックによるハードウェアとして実現され得る。
【００５３】
なお、本実施の形態で説明した警報動作の方法は、あらかじめ用意されたプログラムをパーソナル・コンピュータやワークステーションなどのコンピュータで実行することによって実現することができる。このプログラムは、インターネットなどのネットワークを介して配布することができる。また、このプログラムは、ハードディスク、フレキシブルディスク（ＦＤ）、ＣＤ−ＲＯＭ、ＭＯ、ＤＶＤなどのコンピュータで読み取り可能な記録媒体に記録され、コンピュータによって記録媒体から読み出されることによって実行することもできる。
【００５４】
【発明の効果】
以上説明したように、請求項１の発明によれば、警報装置と電話回線を共有する通信機器においてオフフックのままで放置されて電話回線の電圧が０Ｖ状態となった状態で、防犯センサが異常を検知しても、監視センタに警報を送信できない事態を防ぐとともに各種情報が送受信可能な警備能力の高い警報装置を提供できるという効果を奏する。
【００５５】
また、請求項２にかかる発明によれば、警報装置と電話回線を共有する通信機器においてオフフックのままで放置されて電話回線の電圧が０Ｖとなった状態で、防犯センサが異常を検知しても、電話回線を切り替えた後オンフック状態にして通信可能状態にすることができるので、監視センタに警報を送信できない事態を防ぐとともに各種情報が送受信可能な警備能力の高い警報装置を提供できるという効果を奏する。
【００５６】
また、請求項３にかかる発明によれば、電話回線の接続を通信機器から警報装置側に切り替える前に所定時間だけオフフック状態であることを外部に警告するので、監視センタに警報を送信できない事態を防ぐとともに各種情報が送受信可能な利便性と警備能力の高い警報装置を提供できるという効果を奏する。
【００５７】
また、請求項４にかかる発明によれば、電話回線が警報装置側に切り替えられていても、操作者がいつでも電話回線を通信機器側に接続し直すことができるので、監視センタに警報を送信できない事態を防ぐとともに各種情報が送受信可能な利便性と警備能力の高い警報装置を提供できるという効果を奏する。
【００５８】
また、請求項５にかかる発明によれば、通信機器の利用者は電話回線が警報装置側に接続されていたとしても、通信機器をオンフック状態にするだけで電話回線を通信機器に接続し直して利用することができるので、監視センタに警報を送信できない事態を防ぐとともに各種情報が送受信可能な利便性と警備能力の高い警報装置を提供できるという効果を奏する。
【図面の簡単な説明】
【図１】実施の形態１による警報装置の構成を示すブロック図である。
【図２】実施の形態１による警報装置の動作を示すフローチャートである。
【図３】実施の形態２による警報装置の構成を示すブロック図である。
【図４】実施の形態２による警報装置の動作を示すフローチャートである。
【図５】従来の警備システムの一例の構成を示すブロック図である。
【符号の説明】
１、５１    警報装置
２    電話回線
３    通信機器
４    交換機
５、５５    監視センタ
１１    パルスセンサ
１２、５１２    回線切替部
１３、５１３    防犯センサ
１４    フック切替部
１５    アラーム部
１６、５１６    制御部
１７    リセット部
１８    フック検出部
３１    電話機
３２    ファクシミリ機
１２１、１２２、    接点
１８１    接続点
【図１】
2005020584.tif 000003
【図２】
2005020584.tif 000004
【図３】
2005020584.tif 000005
【図４】
2005020584.tif 000006
【図５】
2005020584.tif 000007